(57)【要約】【課題】表示装置を外枠から的確に分離させる。【解決手段】分離装置１０は、ステージ１２と、吸着機構１６と、傾斜駆動部１８と、第一乃至第四補助具２１〜２４と、第一乃至第四駆動部３１〜３４とを備える。ステージ１２には、ＬＣＤモジュール６２の周囲部に接着された第一ケース６４が固定される。吸着機構１６は、ＬＣＤモジュール６２を表側から吸着する。傾斜駆動部１８は、ＬＣＤモジュール６２の一の角部８１を起点にしてＬＣＤモジュール６２が他の角部８２へ向けて第一ケース６４から引き剥がされるように、ステージ１２を第一ケース６４と共に傾斜させる。第一乃至第四補助具２１〜２４は、ＬＣＤモジュール６２と第一ケース６４との間に生じる剥離部に挿入され、ＬＣＤモジュール６２を裏側から支持する。第一乃至第四駆動部３１〜３４は、剥離部の拡がりに追従するように、第一乃至第四補助具２１〜２４を移動させる。【選択図】図４
2018194612.tif 000002
【特許請求の範囲】
【請求項１】
四角板状の表示装置の周囲部に接着された外枠が固定されるステージと、
前記表示装置を表側から吸着する吸着機構と、
前記表示装置の一端側を起点にして前記表示装置が他端側へ向けて前記外枠から引き剥がされるように、前記ステージを前記外枠と共に前記表示装置の裏側に離れる方向に傾斜させる傾斜駆動部と、
前記傾斜駆動部による前記外枠の傾斜に伴って前記表示装置と前記外枠との間に生じる剥離部に挿入され、前記表示装置を裏側から支持する補助具と、
前記傾斜駆動部による前記外枠の傾斜に伴って前記表示装置の前記一端側から前記他端側へ向けて拡がる前記剥離部の拡がりに追従するように、前記補助具を移動させる移動駆動部と、
を備える表示装置の分離装置。
【請求項２】
前記傾斜駆動部は、前記表示装置の四つの角部のうち一の角部を起点にして前記表示装置が前記一の角部の対角線上に位置する他の角部へ向けて前記外枠から引き剥がされるように、前記ステージを前記外枠と共に傾斜させ、
前記移動駆動部は、前記表示装置に形成された辺部の長さ方向に沿って前記辺部における前記一の角部寄りの端部から中央部まで前記補助具を移動させる、
請求項１に記載の表示装置の分離装置。
【請求項３】
前記表示装置に形成された四つの辺部のそれぞれに対応して設けられる複数の前記補助具を備える、
請求項１又は請求項２に記載の表示装置の分離装置。
【請求項４】
前記傾斜駆動部は、長方形板状の前記表示装置における一の対角線と平面視で直交する軸線の周りに前記ステージを前記外枠と共に傾斜させ、
複数の前記補助具は、
一端部に前記一の角部が位置する第一長辺部に対応して設けられる第一補助具と、
一端部に前記一の角部が位置する第一短辺部に対応して設けられる第二補助具と、
一端部が前記第一短辺部の他端部と連続する第二長辺部に対応して設けられる第三補助具と、
一端部が前記第一長辺部の他端部と連続する第二短辺部に対応して設けられる第四補助具と、
を含む、
請求項３に記載の表示装置の分離装置。
【請求項５】
前記移動駆動部は、
前記第一補助具を移動させる第一駆動部と、
前記第二補助具を移動させる第二駆動部と、
前記第三補助具を移動させる第三駆動部と、
前記第四補助具を移動させる第四駆動部と、
を含み、
前記表示装置の分離装置は、
前記第一駆動部、前記第二駆動部、前記第三駆動部、及び、前記第四駆動部を制御する制御部をさらに備え、
前記制御部は、
前記第一長辺部の一端部側に生じた前記剥離部に前記第一補助具が挿入されるように前記第一駆動部を制御し、
前記第一補助具を停止させたまま、前記第一短辺部の一端部から他端部へ向けて拡がる前記剥離部の拡がりに前記第二補助具が追従するように前記第二駆動部を制御し、
前記第二長辺部の一端部側に生じた前記剥離部に前記第三補助具が挿入されるように前記第三駆動部を制御し、
前記第一長辺部の一端部から他端部へ向けて拡がる前記剥離部の拡がりに前記第一補助具が追従するように前記第一駆動部を制御すると共に、前記第二長辺部の一端部から他端部へ向けて拡がる前記剥離部の拡がりに前記第三補助具が追従するように前記第三駆動部を制御し、
前記第二短辺部の一端部から他端部へ向けて拡がる前記剥離部の拡がりに前記第四補助具が追従するように前記第四駆動部を制御する、
請求項４に記載の表示装置の分離装置。
【請求項６】
四角板状の表示装置の周囲部に接着された外枠をステージに固定し、
前記表示装置を表側から吸着機構で吸着し、
前記表示装置の一端側を起点にして前記表示装置が他端側へ向けて前記外枠から引き剥がされるように、前記ステージを前記外枠と共に前記表示装置の裏側に離れる方向に傾斜させ、
前記外枠の傾斜に伴って前記表示装置と前記外枠との間に生じる剥離部に補助具を挿入して、前記表示装置を裏側から前記補助具で支持し、
前記外枠の傾斜に伴って前記表示装置の前記一端側から前記他端側へ向けて拡がる前記剥離部の拡がりに追従するように、前記補助具を移動させる、
ことを含む表示装置の分離方法。
【発明の詳細な説明】
【技術分野】
【０００１】
本願の開示する技術は、表示装置の分離装置及び分離方法に関する。
【背景技術】
【０００２】
一般に、四角板状の表示装置を有する電子機器では、表示装置の周囲部に外枠が接着により固定されている。このような電子機器において、例えば、表示装置に製造時の不良がある場合や、表示装置が故障した場合には、表示装置を外枠から分離し、表示装置が単体で修理される。表示装置を外枠から分離させる技術としては、次の方法が例示される（例えば、特許文献１参照）。
【０００３】
つまり、この例示に係る表示装置の分離方法では、表示装置を表側から吸着機構で吸着し、表示装置の一端側を起点にして表示装置が他端側へ向けて外枠から引き剥がされるように、表示装置を外枠に対して相対的に傾斜させる。このようにすると、表示装置の相対的な傾斜に伴って表示装置の一端側から他端側へ向けて剥離部が拡がり、この剥離部が表示装置の他端側に到達すると、表示装置が外枠から分離される。
【先行技術文献】
【特許文献】
【０００４】
【特許文献１】特開２０１６−２９４１１号公報
【特許文献２】特開２０１６−１８３０１６号公報
【特許文献３】特開２０１２−１３７６０７号公報
【発明の概要】
【発明が解決しようとする課題】
【０００５】
しかしながら、例えば電子機器に対する市場ニーズ等に対応して、表示装置の接着力は増す傾向である。このように表示装置の接着力が強い場合に、表示装置を外枠から引き剥がすためには、強い力で表示装置を外枠に対して相対的に傾斜させる必要がある。この場合に、表示装置の接着力が吸着機構の吸着力を上回ると、表示装置が吸着機構から外れて、表示装置と外枠との分離に失敗する虞がある。
【０００６】
そこで、本願の開示する技術は、一つの側面として、表示装置を外枠から的確に分離できるようにすることを目的とする。
【課題を解決するための手段】
【０００７】
上記目的を達成するために、本願の開示する技術の一観点によれば、ステージと、吸着機構と、傾斜駆動部と、補助具と、移動駆動部とを備える表示装置の分離装置が提供される。ステージには、四角板状の表示装置の周囲部に接着された外枠が固定される。吸着機構は、表示装置を表側から吸着する。傾斜駆動部は、表示装置の一端側を起点にして表示装置が他端側へ向けて外枠から引き剥がされるように、ステージを外枠と共に表示装置の裏側に離れる方向に傾斜させる。補助具は、傾斜駆動部による外枠の傾斜に伴って表示装置と外枠との間に生じる剥離部に挿入され、表示装置を裏側から支持する。移動駆動部は、傾斜駆動部による外枠の傾斜に伴って表示装置の一端側から他端側へ向けて拡がる剥離部の拡がりに追従するように、補助具を移動させる。
【発明の効果】
【０００８】
本願の開示する技術によれば、表示装置を外枠から的確に分離させることができる。
【図面の簡単な説明】
【０００９】
【図１】本実施形態に係る表示装置の分離方法が適用される電子機器の分解斜視図である。
【図２】図１に示される電子機器の平面図である。
【図３】図１に示されるＬＣＤモジュール及び第一ケースの分解側面断面図である。
【図４】本実施形態に係る表示装置の分離装置を模式的に示す平面図である。
【図５】図４に示される表示装置の分離装置の側面断面図である。
【図６】図４に示される第一補助具をＬＣＤモジュールの第一長辺部と第一ケースとの間の剥離部に挿入する様子を説明する図である。
【図７】図４に示される第二補助具をＬＣＤモジュールの第一短辺部と第一ケースとの間の剥離部に挿入する様子を説明する図である。
【図８】図４に示される第三補助具をＬＣＤモジュールの第二長辺部と第一ケースとの間の剥離部に挿入する様子を説明する図である。
【図９】図４に示される第四補助具をＬＣＤモジュールの第二短辺部と第一ケースとの間の剥離部に挿入する様子を説明する図である。
【図１０】図４に示されるＬＣＤモジュールが第一ケースから徐々に引き剥がされる第一過程を示す図である。
【図１１】図４に示されるＬＣＤモジュールが第一ケースから徐々に引き剥がされる第二過程を示す図である。
【図１２】図４に示されるＬＣＤモジュールが第一ケースから徐々に引き剥がされる第三過程を示す図である。
【図１３】図４に示されるＬＣＤモジュールが第一ケースから徐々に引き剥がされる第四過程を示す図である。
【図１４】図４に示されるＬＣＤモジュールが第一ケースから徐々に引き剥がされる第五過程を示す図である。
【図１５】図４に示されるＬＣＤモジュールが第一ケースから引き剥がされて分離される過程を示す図である。
【図１６】本実施形態に係る表示装置の分離方法におけるタイムチャートを示す図である。
【発明を実施するための形態】
【００１０】
はじめに、本実施形態に係る表示装置の分離方法が適用される電子機器の構成を説明する。
【００１１】
図１、図２には、本実施形態に係る表示装置の分離方法が適用される電子機器６０が示されている。図１、図２に示される電子機器６０は、例えば、スマートフォンやタブレットなどの携帯端末である。この電子機器６０は、ＬＣＤ（Liquid Crystal Display）モジュール６２と、第一ケース６４と、第二ケース６６とを備える。
【００１２】
ＬＣＤモジュール６２は、「表示装置」の一例であり、液晶表示器６８と、バックライト７０とを有する。各図に示される矢印Ｘ、矢印Ｙ、矢印Ｚは、ＬＣＤモジュール６２の幅方向、長さ方向、厚さ方向をそれぞれ示している。
【００１３】
バックライト７０は、液晶表示器６８の裏面に固定されている。バックライト７０は、液晶表示器６８よりも小さいサイズであり、液晶表示器６８の外周部は、バックライト７０からはみ出している。液晶表示器６８及びバックライト７０は、いずれも平面視で長方形を成す板状であり、この液晶表示器６８にバックライト７０が重ね合わされたＬＣＤモジュール６２の全体も、「四角板状」の一例として、平面視で長方形を成す板状（長方形板状）となっている。
【００１４】
第一ケース６４は、「外枠」の一例であり、四角枠状に形成されている。第一ケース６４の内周部は、液晶表示器６８の外周部と略同じ外形を有している。図３には、図１に示されるＬＣＤモジュール６２及び第一ケース６４が分解側面断面図にて示されている。
【００１５】
図１、図３に示されるように、第一ケース６４の内周部には、段部７２が形成されており、この段部７２の上には、液晶表示器６８の外周部が接着される。段部７２の上に液晶表示器６８の外周部が接着されることで、四角板状のＬＣＤモジュール６２の周囲部には、第一ケース６４が接着される。このＬＣＤモジュール６２と第一ケース６４との接着には、例えば接着剤や両面テープ等が用いられる。
【００１６】
図１に示される第二ケース６６は、第一ケース６４と略同じ外形を有している。この第二ケース６６は、第一ケース６４に対するＬＣＤモジュール６２と反対側から第一ケース６４に組み付けられる。第一ケース６４及び第二ケース６６は、電子機器６０の筐体７４を形成しており、この筐体７４の内側には、ＬＣＤモジュール６２を駆動させるための制御回路やバッテリ等が収容される。
【００１７】
なお、本実施形態に係る表示装置の分離方法では、後に詳述するように、図２に示されるＬＣＤモジュール６２の四つの角部のうち一の角部８１を起点にしてＬＣＤモジュール６２が他の角部８２に向けて第一ケース６４から引き剥がされる。そのために、一の角部８１におけるＬＣＤモジュール６２の接着力は、他の角部８２におけるＬＣＤモジュール６２の接着力よりも予め弱く設定される。
【００１８】
一の角部８１におけるＬＣＤモジュール６２の接着力を他の角部８２におけるＬＣＤモジュール６２の接着力よりも弱める手法としては、例えば、接着剤や両面テープ等による接着面積を他の角部８２よりも一の角部８１において小さくすること等がある。
【００１９】
また、ＬＣＤモジュール６２の全周に接着剤を塗布してＬＣＤモジュール６２と第一ケース６４とを接着する場合には、他の角部８２側において接着剤の塗布開始部と塗布終了部とを重複させても良い。このようにすることで、他の角部８２よりも一の角部８１において接着面積が相対的に小さくなり、一の角部８１におけるＬＣＤモジュール６２の接着力が他の角部８２におけるＬＣＤモジュール６２の接着力よりも弱くなる。
【００２０】
次に、本実施形態に係る表示装置の分離装置の構成を説明する。
【００２１】
図４、図５には、本実施形態に係る表示装置の分離装置１０が示されている。図４、図５に示されるように、表示装置の分離装置１０（以降、分離装置１０と略称する）は、ステージ１２と、一対の回動支持機構１４と、吸着機構１６と、傾斜駆動部１８と、制御部３６とを備える。また、図４に示されるように、分離装置１０は、第一乃至第四補助具２１〜２４と、第一乃至第四駆動部３１〜３４とを備える。図５では、便宜上、図４に示される第一乃至第四補助具２１〜２４及び第一乃至第四駆動部３１〜３４の図示が省略されている。
【００２２】
図４、図５に示されるように、ステージ１２は、平板状に形成されている。このステージ１２の上には、ＬＣＤモジュール６２が載置される。ステージ１２には、固定板３８が設けられている。図４では、便宜上、図５に示される固定板３８が想像線で示されている。図５に示されるように、固定板３８は、第一ケース６４の外形よりも小さく、ＬＣＤモジュール６２（液晶表示器６８）の外形よりも大きな開口４０を有する。
【００２３】
この固定板３８は、第一ケース６４に対するステージ１２と反対側から第一ケース６４に重ね合わされると共に、ステージ１２に固定される。第一ケース６４は、固定板３８とステージ１２とに挟まれた状態で、ステージ１２に固定される。固定板３８によって第一ケース６４がステージ１２に固定された状態では、ＬＣＤモジュール６２が開口４０の内側に配置される。
【００２４】
図４に示されるように、一対の回動支持機構１４は、ステージ１２の両側にそれぞれ設けられており、互いに向かい合って配置されている。一対の回動支持機構１４の回動中心を通る軸線４２を設定した場合に、一対の回動支持機構１４は、ＬＣＤモジュール６２における一の対角線８３と軸線４２とが平面視で直交する位置に配置されている。
【００２５】
また、この一対の回動支持機構１４は、平面視で軸線４２が第一ケース６４よりも外側に設定される位置に配置されている。この一対の回動支持機構１４によってステージ１２が回動可能に支持されることにより、ステージ１２は、第一ケース６４と共に軸線４２の周りに傾斜可能となっている。
【００２６】
吸着機構１６は、複数の吸着パッド４４を有する。この複数の吸着パッド４４は、ＬＣＤモジュール６２の幅方向及び長さ方向に沿って配列される位置に配置されている。また、この複数の吸着パッド４４は、ＬＣＤモジュール６２の表側の位置に配置されている。複数の吸着パッド４４には、吸引部４６が接続されている。吸引部４６には、例えば、エア吸引装置が適用される。
【００２７】
この吸引部４６が作動すると、複数の吸着パッド４４から空気が吸引され、ＬＣＤモジュール６２が表側から複数の吸着パッド４４に吸着される。図５に示されるように、複数の吸着パッド４４は、保持板４８によって一体に保持されている。図４では、便宜上、保持板４８の図示が省略されている。
【００２８】
傾斜駆動部１８は、ステージ１２の回動端１２Ａに連結されている。この傾斜駆動部１８には、例えば、油圧シリンダ装置、空圧シリンダ装置、電動アクチュエータ装置等の駆動装置が適用される。この傾斜駆動部１８は、ステージ１２の回動端１２ＡをＬＣＤモジュール６２の裏側に離れる方向（矢印Ｒ方向）に牽引するように作動する。
【００２９】
この傾斜駆動部１８が作動し、ステージ１２の回動端１２ＡがＬＣＤモジュール６２の裏側に離れる方向（矢印Ｒ方向）に牽引されると、ステージ１２が第一ケース６４と共にＬＣＤモジュール６２の裏側に離れる方向に傾斜される。図５では、ステージ１２が第一ケース６４と共にＬＣＤモジュール６２の裏側に離れる方向に傾斜された状態が想像線（二点鎖線）で示されている。
【００３０】
上述のように傾斜駆動部１８によってステージ１２が第一ケース６４と共に傾斜されると、図４に示されるＬＣＤモジュール６２の四つの角部のうち一の角部８１を起点にしてＬＣＤモジュール６２が他の角部８２へ向けて第一ケース６４から引き剥がされる。一の角部８１及び他の角部８２は、上述の対角線８３上に位置する。一の角部８１は、「表示装置の一端側」の一例であり、他の角部８２は、「表示装置の他端側」の一例である。
【００３１】
図４に示される第一乃至第四補助具２１〜２４は、「複数の補助具」の一例である。この第一乃至第四補助具２１〜２４は、ＬＣＤモジュール６２に形成された四つの辺部のそれぞれに対応して設けられている。
【００３２】
つまり、第一補助具２１は、一端部に一の角部８１が位置する第一長辺部９１に対応して設けられており、第二補助具２２は、一端部に一の角部８１が位置する第一短辺部９２に対応して設けられている。また、第三補助具２３は、一端部が第一短辺部９２の他端部と連続する第二長辺部９３に対応して設けられており、第四補助具２４は、一端部が第一長辺部９１の他端部と連続する第二短辺部９４に対応して設けられている。第一長辺部９１、第一短辺部９２、第二長辺部９３、及び、第二短辺部９４は、「表示装置に形成された四つの辺部」の一例である。
【００３３】
分離装置１０の起動時に、第一乃至第四補助具２１〜２４は、平面視で第一ケース６４よりも外側に配置される。より具体的には、第一補助具２１は、第一長辺部９１の一端部側の側方に配置され、第二補助具２２は、第一短辺部９２の一端部側の延長上に配置される。また、第三補助具２３は、第二長辺部９３の一端部側の側方に配置され、第四補助具２４は、第二短辺部９４の一端部側の延長上に配置される。
【００３４】
第一乃至第四駆動部３１〜３４は、第一乃至第四補助具２１〜２４のそれぞれと連結されている。この第一乃至第四駆動部３１〜３４は、第一乃至第四補助具２１〜２４を移動させるための「移動駆動部」の一例である。第一乃至第四駆動部３１〜３４には、例えば、油圧シリンダ装置、空圧シリンダ装置、電動アクチュエータ装置等の駆動装置が適用される。
【００３５】
ここで、図６には、第一補助具２１をＬＣＤモジュール６２の第一長辺部９１と第一ケース６４との間の剥離部１００に挿入する様子が示されている。また、図７には、第二補助具２２をＬＣＤモジュール６２の第一短辺部９２と第一ケース６４との間の剥離部１００に挿入する様子が示されている。
【００３６】
さらに、図８には、第三補助具２３をＬＣＤモジュール６２の第二長辺部９３と第一ケース６４との間の剥離部１００に挿入する様子が示されている。また、図９には、第四補助具２４をＬＣＤモジュール６２の第二短辺部９４と第一ケース６４との間の剥離部１００に挿入する様子が示されている。
【００３７】
図６〜図９に示されるように、傾斜駆動部１８が作動し、ステージ１２が第一ケース６４と共にＬＣＤモジュール６２の裏側に離れる方向に傾斜されると、第一ケース６４の傾斜に伴ってＬＣＤモジュール６２と第一ケース６４との間に剥離部１００が生じる。この剥離部１００は、後に図１０〜図１５を用いて説明するように、一の角部８１にて発生し、その後、第一ケース６４の傾斜に伴いＬＣＤモジュール６２の周囲部に沿って他の角部８２にまで拡がる。
【００３８】
図６に示されるように、第一駆動部３１は、ＬＣＤモジュール６２の第一長辺部９１と第一ケース６４との間に生じた剥離部１００に第一補助具２１が挿入されるように、第一補助具２１を矢印Ｘ１方向（図４も参照）に移動させる。また、この第一駆動部３１は、ＬＣＤモジュール６２の第一長辺部９１と第一ケース６４との間に生じた剥離部１００が矢印Ｙ１方向に拡がる場合に、この剥離部１００の拡がりに追従するように、第一補助具２１を矢印Ｙ１方向（図４も参照）に移動させる。
【００３９】
図７に示されるように、第二駆動部３２は、ＬＣＤモジュール６２の第一短辺部９２と第一ケース６４との間に生じた剥離部１００に第二補助具２２が挿入されるように、第二補助具２２を矢印Ｘ１方向（図４も参照）に移動させる。また、この第二駆動部３２は、ＬＣＤモジュール６２の第一短辺部９２と第一ケース６４との間に生じた剥離部１００が矢印Ｘ１方向に拡がる場合に、この剥離部１００の拡がりに追従するように、第二補助具２２を矢印Ｘ１方向（図４も参照）に移動させる。
【００４０】
図８に示されるように、第三駆動部３３は、ＬＣＤモジュール６２の第二長辺部９３と第一ケース６４との間に生じた剥離部１００に第三補助具２３が挿入されるように、第三補助具２３を矢印Ｘ２方向（図４も参照）に移動させる。また、この第三駆動部３３は、ＬＣＤモジュール６２の第二長辺部９３と第一ケース６４との間に生じた剥離部１００が矢印Ｙ１方向に拡がる場合に、この剥離部１００の拡がりに追従するように、第三補助具２３を矢印Ｙ１方向（図４も参照）に移動させる。
【００４１】
図９に示されるように、第四駆動部３４は、ＬＣＤモジュール６２の第二短辺部９４と第一ケース６４との間に生じた剥離部１００に第四補助具２４が挿入されるように、第四補助具２４を矢印Ｘ１方向（図４も参照）に移動させる。また、この第四駆動部３４は、ＬＣＤモジュール６２の第二短辺部９４と第一ケース６４との間に生じた剥離部１００が矢印Ｘ２方向に拡がる場合に、この剥離部１００の拡がりに追従するように、第四補助具２４を矢印Ｘ１方向（図４も参照）に移動させる。
【００４２】
なお、第一乃至第四補助具２１〜２４は、剥離部１００の拡がりに追従する際に、剥離部１００の拡がり側の端部と等しい速度で移動しても良く、また、剥離部１００の拡がり側の端部と異なる速度で移動しても良い。また、第一乃至第四補助具２１〜２４は、剥離部１００の拡がりに追従する際に、断続的に移動しても良い。
【００４３】
図６〜図９に示されるように、第一乃至第四補助具２１〜２４には、突起部５０がそれぞれ形成されている。第一補助具２１の突起部５０は、ＬＣＤモジュール６２の幅方向の中央側に向けて突出し、第二補助具２２の突起部５０は、ＬＣＤモジュール６２の長さ方向の中央側に向けて突出している。また、第三補助具２３の突起部５０は、ＬＣＤモジュール６２の幅方向の中央側に向けて突出し、第四補助具２４の突起部５０は、ＬＣＤモジュール６２の長さ方向の中央側に向けて突出している。
【００４４】
図６〜図９に示されるように、第一乃至第四補助具２１〜２４は、剥離部１００に挿入された状態において、ＬＣＤモジュール６２を裏側から支持する位置に配置される。ＬＣＤモジュール６２に対する第一乃至第四補助具２１〜２４の支持面５２は、いずれも平面状に形成されている。
【００４５】
制御部３６は、例えば記憶装置や演算装置等を有する制御回路を備える。この制御部３６は、上述の吸引部４６、傾斜駆動部１８、及び、第一乃至第四駆動部３１〜３４を制御する機能を有する。この制御部３６の動作については、後述する表示装置の分離方法と併せて説明する。
【００４６】
次に、本実施形態に係る表示装置の分離装置１０によって実行される表示装置の分離方法を説明する。
【００４７】
先ず、図４、図５に示されるように、ＬＣＤモジュール６２の周囲部に接着された第一ケース６４がステージ１２に固定される。つまり、ステージ１２の上にＬＣＤモジュール６２が載置されると共に、固定板３８が第一ケース６４に対するステージ１２と反対側から第一ケース６４に重ね合わされる。
【００４８】
そして、この固定板３８がステージ１２に固定されることにより、第一ケース６４が固定板３８とステージ１２とに挟まれた状態でステージ１２に固定される。固定板３８によって第一ケース６４がステージ１２に固定された状態では、ＬＣＤモジュール６２が開口４０（図５参照）の内側に配置される。
【００４９】
また、制御部３６は、吸引部４６を作動させる。吸引部４６が作動すると、複数の吸着パッド４４から空気が吸引され、ＬＣＤモジュール６２が表側から複数の吸着パッド４４に吸着される。
【００５０】
続いて、制御部３６は、傾斜駆動部１８を作動させる。傾斜駆動部１８が作動すると、ステージ１２の回動端１２ＡがＬＣＤモジュール６２の裏側に離れる方向（矢印Ｒ方向）に牽引され、ステージ１２が第一ケース６４と共にＬＣＤモジュール６２の裏側に離れる方向に傾斜される。ステージ１２が傾斜されると、ＬＣＤモジュール６２が第一ケース６４から徐々に引き剥がされる。
【００５１】
ここで、図１０〜図１５には、ステージ１２が第一ケース６４と共に傾斜されて、ＬＣＤモジュール６２が第一ケース６４から徐々に引き剥がされる過程が順に示されている。また、図１６には、本実施形態に係る表示装置の分離方法におけるタイムチャートが示されている。
【００５２】
制御部３６は、タイマを有しており、傾斜駆動部１８を作動させると、タイマのカウントを開始する。図１６に示されるように、タイマは、タイマ１〜タイマ５を有する。タイマ１〜タイマ５の時間は、ステージ１２の傾斜速度に応じて予め任意に設定される。
【００５３】
図１６に示されるタイマ１のカウントが終了する頃になると、図１０の下図に示されるように、ＬＣＤモジュール６２の分離が開始され、ＬＣＤモジュール６２と第一ケース６４との間に剥離部１００が生じる。この剥離部１００は、一の角部８１を起点に発生する。この剥離部１００は、以下に詳述するように、一の角部８１にて発生した後に、第一ケース６４の傾斜に伴いＬＣＤモジュール６２の周囲部に沿って他の角部８２にまで拡がる。
【００５４】
以下、剥離部１００の拡がりに応じた第一乃至第四補助具２１〜２４の動作を第一過程乃至第五過程の順に説明する。
【００５５】
（第一過程）
図１６に示されるタイマ１のカウントが終了し、タイマ２のカウントを開始する頃になると、図１１に示されるように、剥離部１００が第一補助具２１と対向する位置にまで拡がる。そして、制御部３６は、タイマ２のカウントを開始すると、第一駆動部３１を制御し、第一長辺部９１の一端部側に生じた剥離部１００に第一補助具２１を挿入させる。
【００５６】
図１６に示されるタイマ２のカウントが終了した後、タイマ３のカウントを開始してからしばらくすると、剥離部１００への第一補助具２１の挿入が完了する。剥離部１００に挿入された第一補助具２１は、ＬＣＤモジュール６２を裏側から支持する。この剥離部１００に挿入された第一補助具２１は、タイマ５のカウントを開始するまで停止されたままとされる。
【００５７】
（第二過程）
図１６に示されるタイマ３のカウントを開始する頃になると、図１２の上図に示されるように、剥離部１００が第一短辺部９２の中央部を超える位置にまで拡がる。そして、制御部３６は、タイマ３のカウントを開始すると、第二駆動部３２を制御し、剥離部１００に第二補助具２２が挿入されるように第二補助具２２を移動させる。また、制御部３６は、引き続き第二駆動部３２を制御し、第一短辺部９２の一端部から他端部へ向けて拡がる剥離部１００の拡がりに第二補助具２２が追従するように第二補助具２２を移動させる。剥離部１００に挿入された第二補助具２２は、ＬＣＤモジュール６２を裏側から支持する。
【００５８】
ＬＣＤモジュール６２を裏側から支持する第二補助具２２が剥離部１００の拡がりに追従することにより、剥離部１００の拡がり側の端部１００Ａと第二補助具２２との間の距離が拡がることが抑制される。これにより、剥離部１００の拡がり側の端部１００Ａと第二補助具２２との間におけるＬＣＤモジュール６２の撓みが抑制されて、剥離部１００の拡がり側の端部１００Ａに隣接する接着部が円滑に引き剥がされる。
【００５９】
このとき、制御部３６は、第一短辺部９２の長さ方向に沿って第一短辺部９２における一端部（一の角部８１寄りの端部）から中央部まで第二補助具２２を移動させる。図１６に示されるタイマ３のカウントが終了した後、タイマ４のカウントを開始してからしばらくすると、第二補助具２２の移動が完了する。
【００６０】
このように剥離部１００が第一短辺部９２の中央部を超える位置にまで拡がるときには、第一補助具２１を停止させたまま、剥離部１００の拡がりに追従して第二補助具２２が移動される。したがって、平面視で対角線８３を挟んだ両側に第一補助具２１及び第二補助具２２がバランス良く配置されるので、ＬＣＤモジュール６２に対角線８３周りの捩り力が作用することが抑制される。
【００６１】
（第三過程）
図１６に示されるタイマ３のカウントが終了し、タイマ４のカウントを開始する頃になると、図１２の下図に示されるように、剥離部１００が第三補助具２３と対向する位置にまで拡がる。そして、制御部３６は、タイマ４のカウントを開始すると、第三駆動部３３を制御し、第二長辺部９３の一端部側に生じた剥離部１００に第三補助具２３を挿入させる。
【００６２】
図１６に示されるタイマ４のカウントが終了する頃に、剥離部１００への第三補助具２３の挿入が完了する。剥離部１００に挿入された第三補助具２３は、ＬＣＤモジュール６２を裏側から支持する。
【００６３】
（第四過程）
図１６に示されるタイマ５のカウントを開始する頃になると、図１３の上図に示されるように、剥離部１００が第一長辺部９１の中央部を超える位置にまで拡がる。そして、制御部３６は、タイマ５のカウントを開始すると、第一駆動部３１を制御し、第一長辺部９１の一端部から他端部へ向けて拡がる剥離部１００の拡がりに第一補助具２１が追従するように第一補助具２１を移動させる。
【００６４】
ＬＣＤモジュール６２を裏側から支持する第一補助具２１が剥離部１００の拡がりに追従することにより、剥離部１００の拡がり側の端部１００Ａと第一補助具２１との間の距離が拡がることが抑制される。これにより、剥離部１００の拡がり側の端部１００Ａと第一補助具２１との間におけるＬＣＤモジュール６２の撓みが抑制されて、剥離部１００の拡がり側の端部１００Ａに隣接する接着部が円滑に引き剥がされる。このとき、制御部３６は、第一長辺部９１の長さ方向に沿って第一長辺部９１における一端部（一の角部８１寄りの端部）から中央部まで第一補助具２１を移動させる。
【００６５】
また、図１６に示されるタイマ５のカウントを開始する頃には、図１３の上図から下図に示されるように、剥離部１００が第二長辺部９３の中央部を超える位置にまで拡がる。そして、制御部３６は、タイマ５のカウントを開始すると、第三駆動部３３を制御し、第二長辺部９３の一端部から他端部へ向けて拡がる剥離部１００の拡がりに第三補助具２３が追従するように第三補助具２３を移動させる。
【００６６】
ＬＣＤモジュール６２を裏側から支持する第三補助具２３が剥離部１００の拡がりに追従することにより、剥離部１００の拡がり側の端部１００Ａと第三補助具２３との間の距離が拡がることが抑制される。これにより、剥離部１００の拡がり側の端部１００Ａと第三補助具２３との間におけるＬＣＤモジュール６２の撓みが抑制されて、剥離部１００の拡がり側の端部１００Ａに隣接する接着部が円滑に引き剥がされる。このとき、制御部３６は、第二長辺部９３の長さ方向に沿って第二長辺部９３における一端部（一の角部８１寄りの端部）から中央部まで第三補助具２３を移動させる。
【００６７】
また、このとき、制御部３６は、第三補助具２３を第一補助具２１よりも低い移動速度（例えば、５０％の移動速度）で移動させる。図１６に示されるタイマ５のカウントが終了するまでには、第一補助具２１及び第三補助具２３の移動が完了する。
【００６８】
このように剥離部１００が第二長辺部９３の中央部を超える位置にまで拡がるときには、第一補助具２１の移動と併せて、剥離部１００の拡がりに追従して第三補助具２３が移動される。したがって、平面視で対角線８３を挟んだ両側に第一補助具２１及び第三補助具２３がバランス良く配置されるので、ＬＣＤモジュール６２に対角線８３周りの捩り力が作用することが抑制される。
【００６９】
（第五過程）
図１６に示されるタイマ５のカウントを終了する頃には、図１４に示されるように、剥離部１００が第二短辺部９４の中央部を超える位置にまで拡がる。そして、制御部３６は、タイマ５のカウントを終了すると、第四駆動部３４を制御し、剥離部１００に第四補助具２４が挿入されるように第四補助具２４を移動させる。また、制御部３６は、引き続き第四駆動部３４を制御し、第二短辺部９４の一端部から他端部へ向けて拡がる剥離部１００の拡がりに第四補助具２４が追従するように第四補助具２４を移動させる。剥離部１００に挿入された第四補助具２４は、ＬＣＤモジュール６２を裏側から支持する。
【００７０】
ＬＣＤモジュール６２を裏側から支持する第四補助具２４が剥離部１００の拡がりに追従することにより、剥離部１００の拡がり側の端部１００Ａと第四補助具２４との間の距離が拡がることが抑制される。これにより、剥離部１００の拡がり側の端部１００Ａと第四補助具２４との間におけるＬＣＤモジュール６２の撓みが抑制されて、剥離部１００の拡がり側の端部１００Ａに隣接する接着部が円滑に引き剥がされる。
【００７１】
このとき、制御部３６は、第二短辺部９４の長さ方向に沿って第二短辺部９４における一端部（一の角部８１寄りの端部）から中央部まで第四補助具２４を移動させる。図１６に示されるタイマ５のカウントを終了してからしばらくすると、第四補助具２４の移動が完了する。
【００７２】
そして、図１５の上図に示されるように、第四補助具２４の移動が完了してしばらくすると、剥離部１００が他の角部８２に到達する。剥離部１００が他の角部８２に到達すると、ＬＣＤモジュール６２の全周に亘って剥離部１００が形成され、ＬＣＤモジュール６２が第一ケース６４から分離される。これにより、図１５の下図に示されるように、ＬＣＤモジュール６２を第一ケース６４から取り外すことが可能になる。
【００７３】
次に、本実施形態の作用及び効果を説明する。
【００７４】
以上詳述したように、本実施形態によれば、第一ケース６４の傾斜に伴い一の角部８１を起点にしてＬＣＤモジュール６２が他の角部８２へ向けて第一ケース６４から引き剥がされる。この際、ＬＣＤモジュール６２と第一ケース６４との間に生じる剥離部１００に第一乃至第四補助具２１〜２４が順次挿入されて、ＬＣＤモジュール６２が裏側から第一乃至第四補助具２１〜２４で支持される。したがって、例えば、ＬＣＤモジュール６２の接着力が吸着機構１６の吸着力を上回る場合でも、ＬＣＤモジュール６２が吸着機構１６から外れることを抑制することができる。
【００７５】
しかも、第一ケース６４の傾斜に伴って一の角部８１から他の角部８２へ向けて拡がる剥離部１００の拡がりに追従するように、第一乃至第四補助具２１〜２４が移動される。したがって、剥離部１００の拡がり側の端部１００Ａと第一乃至第四補助具２１〜２４との間の距離が拡がることを抑制することができる。これにより、剥離部１００の拡がり側の端部１００Ａと第一乃至第四補助具２１〜２４との間におけるＬＣＤモジュール６２の撓みを抑制できるので、剥離部１００の拡がり側の端部１００Ａに隣接する接着部を円滑に引き剥がすことができる。この結果、ＬＣＤモジュール６２が吸着機構１６から外れることをより一層効果的に抑制することができる。
【００７６】
以上より、ＬＣＤモジュール６２が吸着機構１６から外れることを抑制しつつ、剥離部１００をＬＣＤモジュール６２の全周に亘って形成することができるので、ＬＣＤモジュール６２を第一ケース６４から的確に分離させることができる。
【００７７】
また、本実施形態によれば、ＬＣＤモジュール６２に形成された四つの辺部のそれぞれに対応する第一乃至第四補助具２１〜２４が用いられる。したがって、ＬＣＤモジュール６２をバランス良く支持することができるので、ＬＣＤモジュール６２が吸着機構１６から外れて脱落することを抑制することができる。
【００７８】
特に、第一乃至第四補助具２１〜２４は、ＬＣＤモジュール６２の各辺部における一の角部８１寄りの端部から中央部まで移動される。したがって、ＬＣＤモジュール６２をより一層バランス良く支持することができるので、第一乃至第四補助具２１〜２４による支持効果を高めることができる。これにより、ＬＣＤモジュール６２が吸着機構１６から外れて脱落することをより一層効果的に抑制することができる。
【００７９】
また、本実施形態によれば、ステージ１２を傾斜可能に支持する一対の回動支持機構１４は、ＬＣＤモジュール６２における一の対角線８３と軸線４２とが平面視で直交する位置に配置されている。そして、傾斜駆動部１８は、軸線４２の周りにステージ１２を第一ケース６４と共に傾斜させる。これにより、対角線８３上に位置する一の角部８１以外の場所を起点に剥離部１００が発生することを抑制して、剥離部１００を一の角部８１を起点に発生させることができる。
【００８０】
特に、本実施形態によれば、一の角部８１におけるＬＣＤモジュール６２の接着力は、他の角部８２におけるＬＣＤモジュール６２の接着力よりも予め弱く設定される。そして、この状態で、ステージ１２が第一ケース６４と共にＬＣＤモジュール６２の裏側に離れる方向に傾斜され、ＬＣＤモジュール６２の分離が開始される。これにより、より一層効果的に一の角部８１を起点に剥離部１００を発生させることができる。
【００８１】
また、本実施形態によれば、図１２の上図に示されるように、剥離部１００が第一短辺部９２の中央部を超える位置にまで拡がるときには、第一補助具２１を停止させたまま、剥離部１００の拡がりに追従して第二補助具２２が移動される。これにより、平面視で対角線８３を挟んだ両側に第一補助具２１及び第二補助具２２がバランス良く配置されるので、ＬＣＤモジュール６２に対角線８３周りの捩り力が作用することを抑制することができる。
【００８２】
同様に、図１３の上図に示されるように、剥離部１００が第二長辺部９３の中央部を超える位置にまで拡がるときには、第一補助具２１の移動と併せて、剥離部１００の拡がりに追従して第三補助具２３が移動される。これにより、平面視で対角線８３を挟んだ両側に第一補助具２１及び第三補助具２３がバランス良く配置されるので、ＬＣＤモジュール６２に対角線８３周りの捩り力が作用することを抑制することができる。
【００８３】
以上より、ＬＣＤモジュール６２が第一ケース６４から引き剥がされる際に、ＬＣＤモジュール６２の損傷を抑制することができる。
【００８４】
次に、本実施形態の変形例を説明する。
【００８５】
上記実施形態において、電子機器６０は、一例として、スマートフォンやタブレットなどの携帯端末とされているが、携帯端末以外でも良い。
【００８６】
また、上記実施形態では、「表示装置」の一例として、液晶表示方式であるＬＣＤモジュール６２が用いられているが、液晶表示方式以外の表示装置が用いられても良い。
【００８７】
また、上記実施形態において、ＬＣＤモジュール６２は、平面視で長方形を成す板状であるが、平面視で正方形を成す板状でも良い。
【００８８】
また、上記実施形態において、吸着機構１６は、空気吸引方式であるが、空気吸引方式以外でも良い。
【００８９】
また、上記実施形態において、ＬＣＤモジュール６２は、一の角部８１を起点にして他の角部８２に向けて第一ケース６４から引き剥がされる。しかしながら、ＬＣＤモジュール６２は、一の角部８１以外の一端側を起点にして、他の角部８２以外の他端側に向けて第一ケース６４から引き剥がされても良い。
【００９０】
また、上記実施形態において、好ましくは、第一補助具２１及び第四補助具２４が用いられるが、例えば、第一補助具２１及び第四補助具２４のうちいずれかが省かれても良い。
【００９１】
また、上記実施形態において、第一乃至第四補助具２１〜２４は、好ましくは、ＬＣＤモジュール６２の各辺部における一の角部８１寄りの端部から中央部まで移動される。しかしながら、第一乃至第四補助具２１〜２４は、ＬＣＤモジュール６２の各辺部の中央部よりも手前の位置まで移動されも良く、また、各辺部の中央部を超えた位置まで移動されても良い。さらに、第一乃至第四補助具２１〜２４は、ＬＣＤモジュール６２の各辺部における他の角部８２寄りの端部まで移動されても良い。
【００９２】
また、上記実施形態において、図１６のタイムチャートで示される第一乃至第四補助具２１〜２４の移動態様は、一例であり、その他でも良い。
【００９３】
また、上記複数の変形例は、適宜、組み合わされても良い。
【００９４】
以上、本願の開示する技術の一実施形態について説明したが、本願の開示する技術は、上記に限定されるものでなく、上記以外にも、その主旨を逸脱しない範囲内において種々変形して実施可能であることは勿論である。
【００９５】
なお、上述の本願の開示する技術の一実施形態に関し、更に以下の付記を開示する。
【００９６】
（付記１）
四角板状の表示装置の周囲部に接着された外枠が固定されるステージと、
前記表示装置を表側から吸着する吸着機構と、
前記表示装置の一端側を起点にして前記表示装置が他端側へ向けて前記外枠から引き剥がされるように、前記ステージを前記外枠と共に前記表示装置の裏側に離れる方向に傾斜させる傾斜駆動部と、
前記傾斜駆動部による前記外枠の傾斜に伴って前記表示装置と前記外枠との間に生じる剥離部に挿入され、前記表示装置を裏側から支持する補助具と、
前記傾斜駆動部による前記外枠の傾斜に伴って前記表示装置の前記一端側から前記他端側へ向けて拡がる前記剥離部の拡がりに追従するように、前記補助具を移動させる移動駆動部と、
を備える表示装置の分離装置。
（付記２）
前記傾斜駆動部は、前記表示装置の四つの角部のうち一の角部を起点にして前記表示装置が前記一の角部の対角線上に位置する他の角部へ向けて前記外枠から引き剥がされるように、前記ステージを前記外枠と共に傾斜させ、
前記移動駆動部は、前記表示装置に形成された辺部の長さ方向に沿って前記辺部における前記一の角部寄りの端部から中央部まで前記補助具を移動させる、
付記１に記載の表示装置の分離装置。
（付記３）
前記表示装置に形成された四つの辺部のそれぞれに対応して設けられる複数の前記補助具を備える、
付記１又は付記２に記載の表示装置の分離装置。
（付記４）
前記傾斜駆動部は、長方形板状の前記表示装置における一の対角線と平面視で直交する軸線の周りに前記ステージを前記外枠と共に傾斜させ、
複数の前記補助具は、
一端部に前記一の角部が位置する第一長辺部に対応して設けられる第一補助具と、
一端部に前記一の角部が位置する第一短辺部に対応して設けられる第二補助具と、
一端部が前記第一短辺部の他端部と連続する第二長辺部に対応して設けられる第三補助具と、
一端部が前記第一長辺部の他端部と連続する第二短辺部に対応して設けられる第四補助具と、
を含む、
付記３に記載の表示装置の分離装置。
（付記５）
前記移動駆動部は、
前記第一補助具を移動させる第一駆動部と、
前記第二補助具を移動させる第二駆動部と、
前記第三補助具を移動させる第三駆動部と、
前記第四補助具を移動させる第四駆動部と、
を含み、
前記表示装置の分離装置は、
前記第一駆動部、前記第二駆動部、前記第三駆動部、及び、前記第四駆動部を制御する制御部をさらに備え、
前記制御部は、
前記第一長辺部の一端部側に生じた前記剥離部に前記第一補助具が挿入されるように前記第一駆動部を制御し、
前記第一補助具を停止させたまま、前記第一短辺部の一端部から他端部へ向けて拡がる前記剥離部の拡がりに前記第二補助具が追従するように前記第二駆動部を制御し、
前記第二長辺部の一端部側に生じた前記剥離部に前記第三補助具が挿入されるように前記第三駆動部を制御し、
前記第一長辺部の一端部から他端部へ向けて拡がる前記剥離部の拡がりに前記第一補助具が追従するように前記第一駆動部を制御すると共に、前記第二長辺部の一端部から他端部へ向けて拡がる前記剥離部の拡がりに前記第三補助具が追従するように前記第三駆動部を制御し、
前記第二短辺部の一端部から他端部へ向けて拡がる前記剥離部の拡がりに前記第四補助具が追従するように前記第四駆動部を制御する、
付記４に記載の表示装置の分離装置。
（付記６）
四角板状の表示装置の周囲部に接着された外枠をステージに固定し、
前記表示装置を表側から吸着機構で吸着し、
前記表示装置の一端側を起点にして前記表示装置が他端側へ向けて前記外枠から引き剥がされるように、前記ステージを前記外枠と共に前記表示装置の裏側に離れる方向に傾斜させ、
前記外枠の傾斜に伴って前記表示装置と前記外枠との間に生じる剥離部に補助具を挿入して、前記表示装置を裏側から前記補助具で支持し、
前記外枠の傾斜に伴って前記表示装置の前記一端側から前記他端側へ向けて拡がる前記剥離部の拡がりに追従するように、前記補助具を移動させる、
ことを含む表示装置の分離方法。
（付記７）
前記表示装置の四つの角部のうち一の角部を起点にして前記表示装置が前記一の角部の対角線上に位置する他の角部へ向けて前記外枠から引き剥がされるように、前記ステージを前記外枠と共に傾斜させ、
前記表示装置に形成された辺部の長さ方向に沿って前記辺部における前記一の角部寄りの端部から中央部まで前記補助具を移動させる、
付記６に記載の表示装置の分離方法。
（付記８）
前記一の角部における前記表示装置の前記外枠に対する接着力を、前記他の角部における前記表示装置の前記外枠に対する接着力よりも予め弱くした状態で、前記ステージを前記外枠と共に前記表示装置の裏側に離れる方向に傾斜させる、
付記７に記載の表示装置の分離方法。
（付記９）
前記表示装置に形成された四つの辺部のそれぞれに対応して複数の前記補助具を用いる、
付記６〜付記８のいずれか一項に記載の表示装置の分離方法。
（付記１０）
長方形板状の前記表示装置における一の対角線と平面視で直交する軸線の周りに前記ステージを前記外枠と共に傾斜させ、
複数の前記補助具として、
一端部に前記一の角部が位置する第一長辺部に対応する第一補助具と、
一端部に前記一の角部が位置する第一短辺部に対応する第二補助具と、
一端部が前記第一短辺部の他端部と連続する第二長辺部に対応する第三補助具と、
一端部が前記第一長辺部の他端部と連続する第二短辺部に対応する第四補助具と、
を用いる、
付記９に記載の表示装置の分離装置。
（付記１１）
前記第一長辺部の一端部側に生じた前記剥離部に前記第一補助具を挿入し、
前記第一補助具を停止させたまま、前記第一短辺部の一端部から他端部へ向けて拡がる前記剥離部の拡がりに前記第二補助具を追従させ、
前記第二長辺部の一端部側に生じた前記剥離部に前記第三補助具を挿入し、
前記第一長辺部の一端部から他端部へ向けて拡がる前記剥離部の拡がりに前記第一補助具を追従させると共に、前記第二長辺部の一端部から他端部へ向けて拡がる前記剥離部の拡がりに前記第三補助具を追従させ、
前記第二短辺部の一端部から他端部へ向けて拡がる前記剥離部の拡がりに前記第四補助具を追従させる、
付記１０に記載の表示装置の分離方法。
【符号の説明】
【００９７】
１０  表示装置の分離装置
１２  ステージ
１４  回動支持機構
１６  吸着機構
１８  傾斜駆動部
２１〜２４  第一乃至第四補助具
３１〜３４  第一乃至第四駆動部
３６  制御部
４２  軸線
４４  吸着パッド
４６  吸引部
６０  電子機器
６２  ＬＣＤモジュール（表示装置の一例）
６４  第一ケース（外枠の一例）
８１  一の角部（表示装置の一端側の一例）
８２  他の角部（表示装置の他端側の一例）
８３  対角線
９１  第一長辺部（辺部の一例）
９２  第一短辺部（辺部の一例）
９３  第二長辺部（辺部の一例）
９４  第二短辺部（辺部の一例）
１００  剥離部
１００Ａ  剥離部の拡がり側の端部
【図１】
2018194612.tif 000003
【図２】
2018194612.tif 000004
【図３】
2018194612.tif 000005
【図４】
2018194612.tif 000006
【図５】
2018194612.tif 000007
【図６】
2018194612.tif 000008
【図７】
2018194612.tif 000009
【図８】
2018194612.tif 000010
【図９】
2018194612.tif 000011
【図１０】
2018194612.tif 000012
【図１１】
2018194612.tif 000013
【図１２】
2018194612.tif 000014
【図１３】
2018194612.tif 000015
【図１４】
2018194612.tif 000016
【図１５】
2018194612.tif 000017
【図１６】
2018194612.tif 000018